(57)【要約】【課題】食品、特に、ハンバーガを収納するための包装容器であって、収納された食品の種類を特定することが容易な包装容器を提供する。【解決手段】上ケース部３０の正面部３４は、縦方向の第１辺部５２ａ、５２ｂと奥側に左右方向の第２辺部５２ｃを有する切欠部本体部５２と、小切欠部５４ａ、５４ｂとを有する切欠部５０と、該切欠部５０内において突出した突出片部７０と、表示部８０とを有し、突出片部７０には、交差したミシン目７４ａ、７４ｂと、「Ｗ」と「Ｓ」とが表示された表示部７６とが設けられ、表示部８０には、「シングル」と「ダブル」とが表示されている。突出片部７０をミシン目７４ａ、７４ｂを介して折り返し、小切欠部に掛止することにより、「シングル」と「ダブル」の一方が被覆されて他方のみが視認でき、正面部３４の裏面においては、「Ｗ」と「Ｓ」のうち該視認できる表示に対応した表示が露出される。【選択図】図４
0003142172.tif 000002
【実用新案登録請求の範囲】
【請求項１】
食品を包装するための包装容器であって、
下ケース部と、下ケース部と接続され下ケース部に対して開閉する上ケース部とを有し、
上ケース部は、下方が開口し下方にいくほど径が大きくなる容器状を呈し、方形状の板状の上面部と、上面部の正面側の辺部から折れ線を介して連設された板状の正面部と、上面部の背面側の辺部から折れ線を介して連設され、下端が下ケース部の背面部の上端と折れ線を介して連設している板状の背面部と、上面部の左側面側の辺部から折れ線を介して連設された板状の左側面部と、上面部の右側面側の辺部から折れ線を介して連設された板状の右側面部と、を有し、
上ケース部の正面部は、
その下端から上方に形成された切欠部で、両側に縦方向の第１辺部と奥側に第１辺部の方向と直角方向である左右方向の第２辺部を有する切欠部本体部と、切欠部本体部における上端の左右の端部で、第１辺部と第２辺部との間の位置に第２辺部よりも上方に伸びて形成された小切欠部とを有する切欠部と、
該切欠部内において第２辺部から正面部の下端方向に突出した略台形形状の突出片部で、突出片部における上側領域に、互いに交差して形成され、第２辺部の方向に対して斜めに形成された一対の折れ線で、正面部が設けられている側を正面側とした場合に、正面視において左上から右下方向に形成された第１折れ線と、正面視において右上から左下方向に形成された第２折れ線とからなる折れ線と、突出片部における下側領域に、食品の種類を判別するための第１表示領域で、正面視において第１表示領域における左側に表示された第１表示と、正面視において第１表示領域における右側に表示された第２表示とを有する第１表示領域と、を有する突出片部と、
第２辺部よりも上側の正面側の領域に設けられた第２表示領域で、正面視において第２表示領域における左側に設けられ、上記第２表示と対応する表示である第３表示と、正面視において第２表示領域における右側に設けられ、上記第１表示と対応する表示である第４表示とを有する第２表示領域と、
を有し、
上記一対の折れ線における第１折れ線を正面側から見て谷折りに折り返し、突出片部における折り返された領域を一対の小切欠部における正面視右側の小切欠部に掛止することにより、上ケース部の正面部の正面側には、突出片部により第４表示の正面側が被覆されて第３表示のみが視認可能となるとともに、上ケース部の正面部の背面側には、突出片部の正面側の一部が露出して第２表示が視認可能となり、
一方、上記一対の折れ線における第２折れ線を正面側から見て谷折りに折り返し、突出片部における折り返された領域を一対の小切欠部における正面視左側の小切欠部に掛止することにより、上ケース部の正面部の正面側には、突出片部により第３表示の正面側が被覆されて第４表示のみが視認可能となるとともに、上ケース部の正面部の背面側には、突出片部の正面側の一部が露出して第１表示が視認可能となることを特徴とする包装容器。
【請求項２】
食品を包装するための包装容器であって、
下ケース部と、下ケース部と接続され下ケース部に対して開閉する上ケース部とを有し、
下ケース部は、上方が開口し上方にいくほど径が大きくなる容器状を呈し、方形状の板状の底面部と、底面部の正面側の辺部から折れ線を介して底面部に対して斜め上方に連設された板状の正面部と、底面部の背面側の辺部から折れ線を介して底面部に対して斜め上方に連設された板状の背面部と、底面部の左側面側の辺部から折れ線を介して底面部に対して斜め上方に連設された板状の左側面部と、底面部の右側面側の辺部から折れ線を介して底面部に対して斜め上方に連設された板状の右側面部と、を有し、
上ケース部は、下方が開口し下方にいくほど径が大きくなる容器状を呈し、方形状の板状の上面部と、上面部の正面側の辺部から折れ線を介して上面部に対して斜め下方に連設された板状の正面部と、上面部の背面側の辺部から折れ線を介して上面部に対して斜め下方に連設され、下端が下ケース部の背面部の上端と折れ線を介して連設している板状の背面部と、上面部の左側面側の辺部から折れ線を介して上面部に対して斜め下方に連設された板状の左側面部と、上面部の右側面側の辺部から折れ線を介して上面部に対して斜め下方に連設された板状の右側面部と、を有し、
上ケース部の正面部は、
その下端から上方に形成された切欠部で、両側に縦方向の第１辺部と奥側に第１辺部の方向と直角方向である左右方向の第２辺部を有する切欠部本体部と、切欠部本体部における上端の左右の端部で、第１辺部と第２辺部との間の位置に第２辺部よりも上方に伸びて形成された小切欠部とを有する切欠部と、
該切欠部内において第２辺部から正面部の下端方向に突出した略台形形状の突出片部で、突出片部における上側領域に、互いに交差して形成され、第２辺部の方向に対して斜めに形成された一対の折れ線で、正面部が設けられている側を正面側とした場合に、正面視において左上から右下方向に形成された第１折れ線と、正面視において右上から左下方向に形成された第２折れ線とからなる折れ線と、突出片部における下側領域に、食品の種類を判別するための第１表示領域で、正面視において第１表示領域における左側に表示された第１表示と、正面視において第１表示領域における右側に表示された第２表示とを有する第１表示領域と、を有する突出片部と、
第２辺部よりも上側の正面側の領域に設けられた第２表示領域で、正面視において第２表示領域における左側に設けられ、上記第２表示と対応する表示である第３表示と、正面視において第２表示領域における右側に設けられ、上記第１表示と対応する表示である第４表示とを有する第２表示領域と、
を有し、
上記一対の折れ線における第１折れ線を正面側から見て谷折りに折り返し、突出片部における折り返された領域を一対の小切欠部における正面視右側の小切欠部に掛止することにより、上ケース部の正面部の正面側には、突出片部により第４表示の正面側が被覆されて第３表示のみが視認可能となるとともに、上ケース部の正面部の背面側には、突出片部の正面側の一部が露出して第２表示が視認可能となり、
一方、上記一対の折れ線における第２折れ線を正面側から見て谷折りに折り返し、突出片部における折り返された領域を一対の小切欠部における正面視左側の小切欠部に掛止することにより、上ケース部の正面部の正面側には、突出片部により第３表示の正面側が被覆されて第４表示のみが視認可能となるとともに、上ケース部の正面部の背面側には、突出片部の正面側の一部が露出して第１表示が視認可能となることを特徴とする包装容器。
【請求項３】
上ケース部を下ケース部に対して閉めた状態では、上ケース部は、下ケース部を覆うように構成され、上ケース部における正面部の下端は、下ケース部の正面部の上端よりも下方に位置し、左側面部の下端は、左側面部の上端よりも下方に位置し、右側面部の下端は、右側面部の上端よりも下方に位置することを特徴とする請求項２に記載の包装容器。
【考案の詳細な説明】
【技術分野】
【０００１】
本考案は、包装容器に関するものであり、特に、ファーストフード店等において提出されるハンバーガ等の食品を収納するのに用いられる包装容器に関するものである。
【背景技術】
【０００２】
従来より、ファーストフード店等において提出されるハンバーガを収納する容器としては、容器の下側を構成するケース状の容器部と、容器の上側を構成するケース状の蓋部とを有し、蓋部が容器部に対して開閉するものが一般的であり、例えば、特許文献１、特許文献２に示すものが存在する。
【特許文献１】特開２００７−２１０６６０号公報
【特許文献２】意匠登録第１０８９３３２号公報
【考案の開示】
【考案が解決しようとする課題】
【０００３】
しかし、ファーストフード店において提供されるハンバーガの種類は複数存在するのが一般的であり、例えば、ハンバーグのペーストが１枚である場合と２枚である場合とが存在する。また、ファーストフード店においては、カウンターで接客する店員である接客店員と、調理をする店員である調理店員とは別である場合が一般的であり、接客店員は、調理店員から調理されたハンバーガを受け取って客に提供する。
【０００４】
その際、調理されたハンバーガは容器に収納された状態で接客店員に渡されるので、容器に収納されたハンバーガを見ただけでは、ハンバーガの種類を特定することができず、客に対して誤った品を提供してしまうおそれがある。蓋部を開けた状態で調理店員から接客店員に渡すことも考えられるが、その場合には、収納されたハンバーガが冷えてしまう。
【０００５】
そこで、本考案が解決しようとする問題点は、食品、特に、ハンバーガを収納するための包装容器であって、収納された食品の種類を特定することが容易な包装容器を提供することである。
【課題を解決するための手段】
【０００６】
本考案は上記問題点を解決するために創作されたものであって、第１には、食品を包装するための包装容器であって、下ケース部と、下ケース部と接続され下ケース部に対して開閉する上ケース部とを有し、上ケース部は、下方が開口し下方にいくほど径が大きくなる容器状を呈し、方形状の板状の上面部と、上面部の正面側の辺部から折れ線を介して連設された板状の正面部と、上面部の背面側の辺部から折れ線を介して連設され、下端が下ケース部の背面部の上端と折れ線を介して連設している板状の背面部と、上面部の左側面側の辺部から折れ線を介して連設された板状の左側面部と、上面部の右側面側の辺部から折れ線を介して連設された板状の右側面部と、を有し、上ケース部の正面部は、その下端から上方に形成された切欠部で、両側に縦方向の第１辺部と奥側に第１辺部の方向と直角方向である左右方向の第２辺部を有する切欠部本体部と、切欠部本体部における上端の左右の端部で、第１辺部と第２辺部との間の位置に第２辺部よりも上方に伸びて形成された小切欠部とを有する切欠部と、該切欠部内において第２辺部から正面部の下端方向に突出した略台形形状の突出片部で、突出片部における上側領域に、互いに交差して形成され、第２辺部の方向に対して斜めに形成された一対の折れ線で、正面部が設けられている側を正面側とした場合に、正面視において左上から右下方向に形成された第１折れ線と、正面視において右上から左下方向に形成された第２折れ線とからなる折れ線と、突出片部における下側領域に、食品の種類を判別するための第１表示領域で、正面視において第１表示領域における左側に表示された第１表示と、正面視において第１表示領域における右側に表示された第２表示とを有する第１表示領域と、を有する突出片部と、第２辺部よりも上側の正面側の領域に設けられた第２表示領域で、正面視において第２表示領域における左側に設けられ、上記第２表示と対応する表示である第３表示と、正面視において第２表示領域における右側に設けられ、上記第１表示と対応する表示である第４表示とを有する第２表示領域と、を有し、上記一対の折れ線における第１折れ線を正面側から見て谷折りに折り返し、突出片部における折り返された領域を一対の小切欠部における正面視右側の小切欠部に掛止することにより、上ケース部の正面部の正面側には、突出片部により第４表示の正面側が被覆されて第３表示のみが視認可能となるとともに、上ケース部の正面部の背面側には、突出片部の正面側の一部が露出して第２表示が視認可能となり、一方、上記一対の折れ線における第２折れ線を正面側から見て谷折りに折り返し、突出片部における折り返された領域を一対の小切欠部における正面視左側の小切欠部に掛止することにより、上ケース部の正面部の正面側には、突出片部により第３表示の正面側が被覆されて第４表示のみが視認可能となるとともに、上ケース部の正面部の背面側には、突出片部の正面側の一部が露出して第１表示が視認可能となることを特徴とする。
【０００７】
この第１の構成の包装容器においては、一対の折れ線における第１折れ線を正面側から見て谷折りに折り返し、突出片部における折り返された領域を一対の小切欠部における正面視右側の小切欠部に掛止することにより、上ケース部の正面部の正面側には、突出片部により第４表示の正面側が被覆されて第３表示のみが視認可能となるとともに、上ケース部の正面部の背面側には、突出片部の正面側の一部が露出して第２表示が視認可能となり、上記一対の折れ線における第２折れ線を正面側から見て谷折りに折り返し、突出片部における折り返された領域を一対の小切欠部における正面視左側の小切欠部に掛止することにより、上ケース部の正面部の正面側には、突出片部により第３表示の正面側が被覆されて第４表示のみが視認可能となるとともに、上ケース部の正面部の背面側には、突出片部の正面側の一部が露出して第１表示が視認可能となるので、収納される食品の種類が２種類ある場合に、第２表示と第３表示とを収納される食品における一方の種類を示す表示とし、第１表示と第４表示とを収納される食品における他方の種類を示す表示とすることにより、ファーストフード店において、収納される食品の種類を第１表示領域や第２表示領域により判別できるようにしておくことにより、客に対して誤って注文とは異なる種類の食品を提供してしまうことがない。
【０００８】
つまり、調理店員は、収納する食品に対応して突出片部を折り返して小切欠部に掛止することにより第１表示領域や第２表示領域の表示を特定することにより、接客店員は、第１表示領域の表示により収納されている食品の種類を判別できるので、客に対して誤って注文とは異なる種類の食品を提供してしまうことがなく、また、第２表示領域の表示も上ケース部の裏面側に表示されるので、調理店員が調理したハンバーガを収納する際に誤って異なる食品を収納してしまうことがなく、また、注文を受けた種類を失念することがない。
【０００９】
特に、一対の折れ線におけるいずれかの折れ線を介して折り返して小切欠部に掛止するという１つの操作で正面部の表側と裏側の両方の表示を特定できるので、迅速に表示を特定させることができ、作業の迅速性を要求されるファーストフード店においては好適である。
【００１０】
また、第２には、食品を包装するための包装容器であって、下ケース部と、下ケース部と接続され下ケース部に対して開閉する上ケース部とを有し、下ケース部は、上方が開口し上方にいくほど径が大きくなる容器状を呈し、方形状の板状の底面部と、底面部の正面側の辺部から折れ線を介して底面部に対して斜め上方に連設された板状の正面部と、底面部の背面側の辺部から折れ線を介して底面部に対して斜め上方に連設された板状の背面部と、底面部の左側面側の辺部から折れ線を介して底面部に対して斜め上方に連設された板状の左側面部と、底面部の右側面側の辺部から折れ線を介して底面部に対して斜め上方に連設された板状の右側面部と、を有し、上ケース部は、下方が開口し下方にいくほど径が大きくなる容器状を呈し、方形状の板状の上面部と、上面部の正面側の辺部から折れ線を介して上面部に対して斜め下方に連設された板状の正面部と、上面部の背面側の辺部から折れ線を介して上面部に対して斜め下方に連設され、下端が下ケース部の背面部の上端と折れ線を介して連設している板状の背面部と、上面部の左側面側の辺部から折れ線を介して上面部に対して斜め下方に連設された板状の左側面部と、上面部の右側面側の辺部から折れ線を介して上面部に対して斜め下方に連設された板状の右側面部と、を有し、上ケース部の正面部は、その下端から上方に形成された切欠部で、両側に縦方向の第１辺部と奥側に第１辺部の方向と直角方向である左右方向の第２辺部を有する切欠部本体部と、切欠部本体部における上端の左右の端部で、第１辺部と第２辺部との間の位置に第２辺部よりも上方に伸びて形成された小切欠部とを有する切欠部と、該切欠部内において第２辺部から正面部の下端方向に突出した略台形形状の突出片部で、突出片部における上側領域に、互いに交差して形成され、第２辺部の方向に対して斜めに形成された一対の折れ線で、正面部が設けられている側を正面側とした場合に、正面視において左上から右下方向に形成された第１折れ線と、正面視において右上から左下方向に形成された第２折れ線とからなる折れ線と、突出片部における下側領域に、食品の種類を判別するための第１表示領域で、正面視において第１表示領域における左側に表示された第１表示と、正面視において第１表示領域における右側に表示された第２表示とを有する第１表示領域と、を有する突出片部と、第２辺部よりも上側の正面側の領域に設けられた第２表示領域で、正面視において第２表示領域における左側に設けられ、上記第２表示と対応する表示である第３表示と、正面視において第２表示領域における右側に設けられ、上記第１表示と対応する表示である第４表示とを有する第２表示領域と、を有し、上記一対の折れ線における第１折れ線を正面側から見て谷折りに折り返し、突出片部における折り返された領域を一対の小切欠部における正面視右側の小切欠部に掛止することにより、上ケース部の正面部の正面側には、突出片部により第４表示の正面側が被覆されて第３表示のみが視認可能となるとともに、上ケース部の正面部の背面側には、突出片部の正面側の一部が露出して第２表示が視認可能となり、一方、上記一対の折れ線における第２折れ線を正面側から見て谷折りに折り返し、突出片部における折り返された領域を一対の小切欠部における正面視左側の小切欠部に掛止することにより、上ケース部の正面部の正面側には、突出片部により第３表示の正面側が被覆されて第４表示のみが視認可能となるとともに、上ケース部の正面部の背面側には、突出片部の正面側の一部が露出して第１表示が視認可能となることを特徴とする。
【００１１】
この第２の構成の包装容器においては、一対の折れ線における第１折れ線を正面側から見て谷折りに折り返し、突出片部における折り返された領域を一対の小切欠部における正面視右側の小切欠部に掛止することにより、上ケース部の正面部の正面側には、突出片部により第４表示の正面側が被覆されて第３表示のみが視認可能となるとともに、上ケース部の正面部の背面側には、突出片部の正面側の一部が露出して第２表示が視認可能となり、上記一対の折れ線における第２折れ線を正面側から見て谷折りに折り返し、突出片部における折り返された領域を一対の小切欠部における正面視左側の小切欠部に掛止することにより、上ケース部の正面部の正面側には、突出片部により第３表示の正面側が被覆されて第４表示のみが視認可能となるとともに、上ケース部の正面部の背面側には、突出片部の正面側の一部が露出して第１表示が視認可能となるので、収納される食品の種類が２種類ある場合に、第１表示と第２表示とを収納される食品における一方の種類を示す表示とし、第３表示と第４表示とを収納される食品における他方の種類を示す表示とすることにより、ファーストフード店において、収納される食品の種類を第１表示領域や第２表示領域により判別できるようにしておくことにより、客に対して誤って注文とは異なる種類の食品を提供してしまうことがない。
【００１２】
つまり、調理店員は、収納する食品に対応して突出片部を折り返して小切欠部に掛止することにより第１表示領域や第２表示領域の表示を特定することにより、接客店員は、第１表示領域の表示により収納されている食品の種類を判別できるので、客に対して誤って注文とは異なる種類の食品を提供してしまうことがなく、また、第２表示領域の表示も上ケース部の裏面側に表示されるので、調理店員が調理したハンバーガを収納する際に誤って異なる食品を収納してしまうことがなく、また、注文を受けた種類を失念することがない。
【００１３】
特に、一対の折れ線におけるいずれかの折れ線を介して折り返して小切欠部に掛止するという１つの操作で正面部の表側と裏側の両方の表示を特定できるので、迅速に表示を特定させることができ、作業の迅速性を要求されるファーストフード店においては好適である。
【００１４】
また、第３には、上記第２の構成において、上ケース部を下ケース部に対して閉めた状態では、上ケース部は、下ケース部を覆うように構成され、上ケース部における正面部の下端は、下ケース部の正面部の上端よりも下方に位置し、左側面部の下端は、左側面部の上端よりも下方に位置し、右側面部の下端は、右側面部の上端よりも下方に位置することを特徴とする。よって、上ケース部の正面部が下ケース部の正面部を覆う形になり、第２表示領域の表示を視認しやすくすることができる。
【考案の効果】
【００１５】
本考案に基づく包装容器によれば、ファーストフード店において、収納される食品の種類を第１表示領域や第２表示領域により判別できるようにしておくことにより、客に対して誤って注文とは異なる種類の食品を提供してしまうことがない。つまり、調理店員は、収納する食品に対応して突出片部を折り返して小切欠部に掛止することにより第１表示領域や第２表示領域の表示を特定することにより、接客店員は、第１表示領域の表示により収納されている食品の種類を判別できるので、客に対して誤って注文とは異なる種類の食品を提供してしまうことがなく、また、第２表示領域の表示も上ケース部の裏面側に表示されるので、調理店員が調理したハンバーガを収納する際に誤って異なる食品を収納してしまうことがなく、また、注文を受けた種類を失念することがない。特に、一対の折れ線におけるいずれかの折れ線を介して折り返して小切欠部に掛止するという１つの操作で正面部の表側と裏側の両方の表示を特定できるので、迅速に表示を特定させることができ、作業の迅速性を要求されるファーストフード店においては好適である。
【考案を実施するための最良の形態】
【００１６】
本考案においては、食品、特に、ハンバーガを収納するための包装容器であって、収納された食品の種類を特定することが容易な包装容器を提供するという目的を以下のようにして実現した。
【００１７】
本考案に基づく包装容器Ａは、図１〜図５に示すように構成され、下ケース部１０と、上ケース部３０とを有し、背面側の接続部分を介して開閉するように構成されている。この包装容器Ａは、１枚のシート状のブランク（具体的には、段ボール製（例えば、薄型段ボール製）のブランク）により形成されている。なお、以下の説明で「正面側」及び「背面側」といった場合には、包装容器Ａの組立て状態の場合における状態を示すものとする。
【００１８】
ここで、下ケース部１０は、上方が開口した容器状を呈し、方形状の平板状の底面部１２と、底面部１２の正面側の辺部から折れ線を介して連設された平板状の正面部１４と、底面部１２の背面側の辺部から折れ線を介して連設された平板状の背面部１６と、底面部１２の左側面側の辺部から折れ線を介して連設された平板状の左側面部１８と、底面部１２の右側面側の辺部から折れ線を介して連設された平板状の右側面部２０と、正面部１４の正面視左側の端部から折れ線を介して連設された平板状の糊代部２２と、正面部１４の正面視右側の端部から折れ線を介して連設された平板状の糊代部２４と、背面部１６の正面視左側の端部から折れ線を介して連設された平板状の糊代部２６と、背面部１６の正面視右側の端部から折れ線を介して連設された平板状の糊代部２８とを有している。正面部１４と背面部１６と左側面部１８と右側面部２０とは下ケース部１０の側面を形成し、いずれも略台形形状を呈し、組立て状態では、上方に行くに従い外側に傾斜する。
【００１９】
なお、正面部１４は、略台形形状を呈するが、その上端の両側には、山型に突出した突出部１４ａ、１４ｂが設けられている。
【００２０】
また、左側面部１８は、略台形形状を呈するが、上端の正面側に段差１８ａを有するとともに、背面側に段差１８ｂを有している。左側面部１８における２つの段差１８ａと段差１８ｂ間の上端の辺部１８−１は底面部１２と左側面部１８間の境界をなす折れ線１２ａと平行であり、段差１８ａよりも正面側の上端の辺部１８−２も折れ線１２ａと平行であるが、段差１８ｂよりも背面側の上端の辺部１８−３は、折れ線１２ａに対して傾斜する直線状をなし、背面側にいくほど下方になるように傾斜している。また、左側面部１８の正面側の端部には、その上端に三角形状の爪部１８ｃが突出して形成されている。
【００２１】
また、右側面部２０は、左側面部１８と対称に形成されているので詳しい説明を省略する。つまり、左側面部１８と右側面部２０とは、前後方向（正面側と背面側とを結ぶ方向）の中心面を介して対称に形成されている。
【００２２】
また、糊代部２２、２４は、略台形形状を呈し、糊代部２２は、その内側に爪部１８ｃと対応した形状の爪部２２ａを有し、同様に、糊代部２４は、その内側に爪部２０ｃと対応した形状の爪部２４ａを有している。包装容器Ａの組立て状態においては、糊代部２２は、左側面部１８の内側に接着され、糊代部２４は、右側面部２０の内側に接着される。糊代部２２は左側面部１８に接着されることにより爪部１８ｃと爪部２２ａとが一体となって１つの爪部となり、糊代部２４は右側面部２０に接着されることにより爪部２０ｃと爪部２４ａとが一体となって１つの爪部となる。
【００２３】
また、糊代部２６、２８は、略三角形状を呈し、組立て状態においては、糊代部２６は左側面部１８の内側に接着し、糊代部２８は右側面部２０の内側に接着している。
【００２４】
下ケース部１０は、上記のように構成されていて、上方にいくほど径が大きくなるように形成されている。
【００２５】
また、上ケース部３０は、下方が開口した容器状を呈し、方形状の平板状の上面部３２と、上面部３２の正面側の辺部から折れ線を介して連設された平板状の正面部３４と、上面部３２の背面側の辺部から折れ線を介して連設された平板状の背面部３６と、上面部３２の左側面側の辺部から折れ線を介して連設された平板状の左側面部３８と、上面部３２の右側面側の辺部から折れ線を介して連設された平板状の右側面部４０と、左側面部３８の正面側の端部から折れ線を介して連設された平板状の糊代部４２と、右側面部４０の正面視の端部から折れ線を介して連設された平板状の糊代部４４と、背面部３６の正面視左側の端部から折れ線を介して連設された平板状の糊代部４６と、背面部３６の正面視右側の端部から折れ線を介して連設された平板状の糊代部４８とを有している。正面部３４と背面部３６と左側面部３８と右側面部４０とは上ケース部３０の側面を形成しており、組立て状態では、下方に行くに従い外側に傾斜する。
【００２６】
ここで、正面部３４は、略長方形状の中央下側に切欠部を有するとともに、該切欠部内に下方に突出した突出片部を有する構成となっていて、切欠部５０と、突出片部７０とを有している。
【００２７】
ここで、切欠部５０は、正面部３４の中央下側に設けられていて略長方形状を呈し（つまり、突出片部７０の構成を考慮しない場合に、略長方形状を呈する）、切欠部５０における奥側の左右の端部には、奥側に伸びた小切欠部５４ａ、５４ｂが設けられている。この小切欠部５４ａ、５４ｂは、ともに溝状を呈し、略逆Ｕ字状の外形を呈している。切欠部５０における奥側の辺部は、小切欠部５４ａ、５４ｂ形成領域を除き、直線状（上面部３２と正面部３４間の境界となる折れ線３２ａと平行な直線）に形成されている。なお、小切欠部５４ａと小切欠部５４ｂ間の領域をなす突出部６０は、両側に小切欠部５４ａと小切欠部５４ｂが設けられていることから、切欠部５０における手前側に突出した形状を呈している。また、正面部３４の下辺における切欠部５０形成位置の角部５６ａ、５６ｂは、アール状に形成されている。また、切欠部５０は、略長方形状の切欠部本体５２と、小切欠部５４ａ、５４ｂとを有する構成であるといえ、切欠部本体５２は、左右の両側に縦方向の第１辺部５２ａ、５２ｂと奥側に左右方向の第２辺部５２ｃを有しているといえる。第１辺部５２ａ、５２ｂの方向と第２辺部５２ｃの方向とは直角をなしている。また、小切欠部５４ａ、５４ｂは、切欠部本体部５２における上端の左右の端部で、第１辺部５２ａ、５２ｂと第２辺部５２ｃとの間の位置に第２辺部５２ｃよりも上方に伸びて形成されている。
【００２８】
また、突出片部７０は、第２辺部５２ｃ、つまり、突出部６０の下端から下方に連設されていて、略台形形状を呈している。つまり、突出片部７０は、略台形形状（上辺が下辺よりも短い略台形形状）を呈する突出片部本体７２と、表示部（第１表示領域）７６とを有している。この突出片部７０の上側領域には、互いに交差したミシン目７４ａ（第１折れ線）とミシン目７４ｂ（第２折れ線）が設けられている。つまり、ミシン目７４ａとミシン目７４ｂは、ともに直線状をなし、折れ線３２ａに対して傾斜して形成されていて、ミシン目７４ａは、正面視において左上から右下方向に傾斜して設けられ、ミシン目７４ｂは、正面視において右上から左下方向に傾斜して設けられている。
【００２９】
また、表示部７６は、突出片部本体７２の下側領域に貼付して設けられ、突出片部本体７２の下側領域と同大同形状（具体的には、略台形形状）のシート状を呈している。この表示部７６の表面（正面側の面）の左右の両側には、収納される食品の種類を示す表示がされており、図の例では、正面視左側に「Ｗ」（第１表示）が正面視右側には「Ｓ」（第２表示）が表示されている。この表示部７６は、上記表示を行なうのみならず、突出片部７０を補強するために設けられており、突出片部７０を補強することにより、ミシン目７４ａ又はミシン目７４ｂを介して突出片部７０を折り返して小切欠部５４ａ又は小切欠部５４ｂ内に掛止させる際に、折返し及び掛止の操作が容易となるように設けられている。
【００３０】
また、第２辺部５２ｃよりも上側の領域、つまり、上記突出部６０の領域を含む領域には、シート状の表示部８０（第２表示領域）が貼付されている。つまり、表示部８０は、略長方形状を呈し、その下側の領域が突出部６０の領域と重なるように設けられている。この表示部８０の左右の両側には、収納される食品の種類を示す表示がされており、表示部７６における表示と左右逆に対応するように表示されている。具体的には、図の例では、正面視左側に「シングル」（第３表示）が正面視右側には「Ｗ」（第４表示）が表示されている。ここで、表示部７６の「Ｗ」と表示部８０の「ダブル」とが対応しており、表示部７６の「Ｓ」と表示部８０の「シングル」とが対応している。
【００３１】
つまり、折れ線としてのミシン目７４ａ又はミシン目７４ｂを介して突出片部７０を折り返して小切欠部５４ａ又は小切欠部５４ｂに掛止した際に、表示部８０における一方の表示が突出片部７０により正面側が被覆され、他方のみが視認可能となり、また、正面部３４における裏側においては、表示部７６における一方の表示が裏面側（背面側）に露出することになるが、正面部３４の正面側に表示される表示と、正面部３４の裏面側（背面側）に表示される表示とが対応するように、表示部８０の表示は、表示部７６における表示と左右逆に対応するように設けられている。
【００３２】
また、正面部３４の上端における両側には、爪部３４ａ、３４ｂが設けられている。
【００３３】
また、背面部３６は、略台形形状を呈し、その上端が、下ケース部１０における下端と折れ線を介して接続されている。
【００３４】
また、左側面部３８と右側面部４０とは、六角形状を呈し、上辺が下辺よりも短い台形と下辺が上辺よりも短い台形とを組み合わせた形状を呈し、上下方向における途中位置が両側に突出した形状を呈している。左側面部３８と右側面部４０とは、互いに対称に形成されている。
【００３５】
また、糊代部４２は、左側面部３８の正面側の端部から連設されていて、その角部には、爪部４２ａが形成されている。また、糊代部４４は、右側面部４０の正面側の端部から連設されていて、その角部には、爪部４４ａが形成されている。包装容器Ａの組立て状態においては、糊代部４２は、左側面部３８の内側に接着され、糊代部４４は、右側面部４０の内側に接着される。糊代部４２は左側面部３８に接着されることにより爪部３４ａと爪部４２ａとが一体となって１つの爪部となり、糊代部４４は右側面部４０に接着されることにより爪部３４ｂと爪部４４ａとが一体となって１つの爪部となる。
【００３６】
また、糊代部４６、４８は、略三角形状を呈し、組立て状態においては、糊代部４６は左側面部３８の内側に接着し、糊代部４８は右側面部４０の内側に接着している。
【００３７】
上ケース部３０は、上記のように構成されていて、下方にいくほど径が大きくなるように形成されている。
【００３８】
なお、上ケース部３０を下ケース部１０に対して閉めた状態では、上ケース部３０は、下ケース部１０を覆うように構成され、上ケース部３０における正面部３４の下端は、下ケース部１０の正面部１４の上端よりも下方に位置し、左側面部３８の下端は、左側面部１８の上端よりも下方に位置し、右側面部４０の下端は、右側面部２０の上端よりも下方に位置する。
【００３９】
包装容器Ａは上記のように構成されていて、正面視において左右対称に形成されている。
【００４０】
上記構成の包装容器Ａの使用状態及び作用について説明する。以下の説明では、ハンバーガを販売するファーストフード店において、ハンバーグのペーストが１枚である「シングル」の場合と２枚である「ダブル」の場合を例にとって説明する。
【００４１】
カウンターで接客する店員である接客店員が客から注文を受け、その注文内容を調理をする店員である調理店員に伝える。調理店員は、上ケース部３０が下ケース部１０に対して開いた状態の包装容器Ａに対して調理したハンバーガを収納するが、予め注文を受けた際に、突出片部７０を折り返して注文を受けたハンバーガの種類が特定できるようにしておく。つまり、「ダブル」のハンバーガの場合には、ミシン目７４ｂに沿って突出片部７０を折り曲げて折り返す。折返しに際しては、正面視においてミシン目が谷折りとなるようにし、ミシン目７４ｂを介した両側の片部が重なるようにする。突出片部７０を折り返したら、図６、図７に示すように、突出片部７０を小切欠部５４ａ内に掛止させる。すると、正面部３４の裏面側においては、図６に示すように、表示部７６における「Ｗ」の表示が露出するようになる。また、正面部３４の表面側においては、図７に示すように、「シングル」の表示が隠されて「ダブル」の表示が視認できるようになる。調理店員は、「ダブル」のハンバーガを調理して包装容器Ａに収納する。
【００４２】
一方、「シングル」のハンバーガの注文を受けた場合には、ミシン目７４ａに沿って突出片部７０を折り曲げて折り返す。折返しに際しては、正面視においてミシン目が谷折りとなるようにし、ミシン目７４ａを介した両側の片部が重なるようにする。突出片部７０を折り返したら、図８、図９に示すように、突出片部７０を小切欠部５４ｂ内に掛止させる。すると、正面部３４の裏面側においては、図８に示すように、表示部７６における「Ｓ」の表示が露出するようになる。また、正面部３４の表面側においては、図９に示すように、「ダブル」の表示が隠されて「シングル」の表示が視認できるようになる。調理店員は、「シングル」のハンバーガを調理して包装容器Ａに収納する。
【００４３】
上記のように正面部３４の裏面側にも種類が表示されて、上ケース部３０を開けた状態においても容易に種類を判別することができるので、突出片部７０の折曲げ・掛止操作を行って種類が判別できるようにしておくことにより、調理店員が調理したハンバーガを収納する際に誤って収納してしまうことがなく、また、注文を受けた種類を失念することがなく、特に、複数のハンバーガの注文を一度に受けた場合には、複数の包装容器Ａに対して突出片部７０の折曲げ・掛止操作を行っておくことにより、上ケース部３０が開いた状態の包装容器Ａの正面部３４の裏側の表示を見ることにより注文内容を確認することができる。
【００４４】
ハンバーガを収納したら上ケース部３０を下ケース部１０に対して閉めて上ケース部３０の爪部と下ケース部１０の爪部とを掛止させる。
【００４５】
すると、正面部３４の表側にも、図７、図９に示すように、「ダブル」又は「シングル」の表示が視認できるので、接客店員は、調理店員から受け取ったハンバーガの種類を上ケース部３０を開けることなく確認することができる。よって、接客店員が、客に対して誤って注文とは異なる種類のハンバーガを渡してしまうことがない。
【００４６】
なお、上記の例では、表示部７６における表示が「Ｗ」（第１表示）と「Ｓ」（第２表示）であり、表示部８０における表示が「シングル」（第３表示）と「ダブル」（第４表示）であるとして説明したが、第２表示と第３表示とが対応し、第１表示と第４表示とが対応するものであれば、他の表示でもよい。
【００４７】
また、ミシン目７４ａ、７４ｂは、折り曲げが容易にようにミシン目としたが、通常の折れ線であってもよい。
【００４８】
また、上記の例では、食品としてハンバーガを例にとって説明したが、ハンバーガには限られず、他の食品であってもよい。
【図面の簡単な説明】
【００４９】
【図１】本発明の実施例に基づく包装容器の斜視図である。
【図２】本発明の実施例に基づく包装容器の斜視図であり、上ケース部を下ケース部に対して開けた状態の斜視図である。
【図３】本発明の実施例に基づく包装容器の正面図である。
【図４】本発明の実施例に基づく包装容器の正面図における要部拡大図である。
【図５】本発明の実施例に基づく包装容器の展開図である。
【図６】本発明の実施例に基づく包装容器の使用状態を示す図であり、上ケース部を開けた状態の要部正面図である。
【図７】本発明の実施例に基づく包装容器の使用状態を示す図であり、上ケース部を閉めた状態の要部正面図である。
【図８】本発明の実施例に基づく包装容器の使用状態を示す図であり、上ケース部を開けた状態の要部正面図である。
【図９】本発明の実施例に基づく包装容器の使用状態を示す図であり、上ケース部を閉めた状態の要部正面図である。
【符号の説明】
【００５０】
Ａ  包装容器
１０  下ケース部
１２  底面部
１４、３４  正面部
１６、３６  背面部
１８、３８  左側面部
２０、４０  右側面部
２２、２４、２６、２８、４２、４４、４６、４８  糊代部
３０  上ケース部
３２  上面部
５０、５４ａ、５４ｂ  切欠部
５２  切欠部本体
６０  突出部
７０  突出片部
７２  突出片部本体
７４ａ、７４ｂ  ミシン目
７６、８０  表示部
【図１】
0003142172.tif 000003
【図２】
0003142172.tif 000004
【図３】
0003142172.tif 000005
【図４】
0003142172.tif 000006
【図５】
0003142172.tif 000007
【図６】
0003142172.tif 000008
【図７】
0003142172.tif 000009
【図８】
0003142172.tif 000010
【図９】
0003142172.tif 000011